(57)【特許請求の範囲】
【請求項１】
以下の工程を含む化合物の分配係数測定方法であって、
ｉ）化合物、飽和重水及び飽和重水素化有機溶媒を混合する工程、
ｉｉ）工程ｉの混合物を水相及び有機相に分離する工程、
ｉｉｉ）工程ｉｉで得た有機相に内標準物質を溶解させ有機相試料溶液とした後、ＮＭＲを用いて有機相試料溶液中の化合物及び内標準物質の特定基のシグナル面積を測定し、当該シグナル面積を用いて有機相中の化合物含量を算出する工程、
ｉｖ）工程ｉｉで得た水相に工程ｉｉｉと同一又は異なる内標準物質を溶解させ水相試料溶液とした後、ＮＭＲを用いて水相試料溶液中の化合物及び内標準物質の特定基のシグナル面積を測定し、当該シグナル面積を用いて水相中の化合物含量を算出する工程、
ｖ）工程ｉｉｉで算出した有機相中の化合物含量と、工程ｉｖで算出した水相中の化合物含量を用いて化合物の分配係数を算出する工程、
を含む、検量線の作成が不要である、分配係数の測定方法。
【請求項２】
以下の工程を含む化合物の分配係数測定方法であって、
ｉ）化合物、飽和重水及び飽和重水素化有機溶媒を混合する工程、
ｉｉ）工程ｉの混合物を水相及び有機相に分離する工程、
ｉｉｉ）工程ｉｉで得た水相に重水素化酸、重水素化塩基若しくはシフト試薬を溶解させ水相試料溶液とし、工程ｉｉで得た有機相を有機相試料溶液とするか、或いは工程ｉｉで得た水相を水相試料溶液とし、工程ｉｉで得た有機相にシフト試薬を溶解させ有機相試料溶液とし、当該有機相試料溶液と水相試料溶液のうち一方を二重ＮＭＲ管の外管に採取して、他方を二重ＮＭＲ管の内管に採取した後、ＮＭＲを用いて有機相試料溶液及び水相試料溶液中の化合物の特定基のシグナル面積を測定する工程、及び
ｉｖ）工程ｉｉｉで測定した有機相試料溶液及び水相試料溶液中の化合物の特定基のシグナル面積を用いて化合物の分配係数を算出する工程、
を含む、検量線の作成が不要であり、且つ、内標準物質を使用しない分配係数の測定方法。
【発明の詳細な説明】
【技術分野】
【０００１】
本発明は、ＮＭＲによる定量分析工程を含む、分配係数の測定方法に関する。
【背景技術】
【０００２】
分配係数は分配比、分配率などともよばれ、化合物の疎水性を表す数値である。分配係数は化合物が水と有機溶媒の二相系に溶解したときの平衡溶解度比であり、下記式（１）
【０００３】
【数１】
0005858515.tif 000002
【０００４】
[式中、Ｐは分配係数、Ｃｏは有機相中の化合物の濃度、Ｃｗは水相中の化合物の濃度を表す]
で表される。一般的には、Ｐの常用対数である下記式（２）
【０００５】
【数２】
0005858515.tif 000003
【０００６】
[式中、Ｐ、Ｃｏ、Ｃｗは前述と同義]
が分配係数として広く用いられている。分配係数は化合物の脂溶性を表すため、特に医薬品、農薬及び環境物質の体内吸収や残留性の指標となっている。例えば、化審法では、化合物の物性の指標として１−オクタノールと水の二相系での分配係数が採用されている。また、分配係数の測定法も日本工業規格（非特許文献１）やＯＥＣＤ  Ｔｅｓｔ  Ｇｕｉｄｅｌｉｎｅ（非特許文献２）によって標準化されている。
【０００７】
ところで、今日用いられている分配係数の測定法（以下、従来法）では、有機相や水相中の化合物濃度を高速液体クロマトグラフィー（ＨＰＬＣ）や紫外可視吸光光度計で定量するため、検量線の作成が不可欠となる。検量線の作成には多量の化合物が必要であるが、化合物が希少である場合や環境への負荷を考慮した場合、化合物の使用量は少ないことが望ましい。また、検量線の作成は作業負荷が大きいため、種々の化合物の分配係数を測定する場合は特に問題となる。さらに従来法は、UVで化合物を定量する測定機器を用いる場合、ＨＰＬＣや紫外可視吸光光度計で化合物を定量するため、紫外吸収が弱いか、もしくは全くない化合物には使用できないという欠点がある。
【０００８】
また、化合物の分配係数を実測するのではなく、コンピューターを用いて分配係数を計算する方法も報告されているが、計算値は実測値と乖離することがあるため、信頼性の面から実測することが好ましい。
【０００９】
ところで、近年、ＮＭＲを用いた化合物の定量分析法が報告されている（非特許文献３）。ＮＭＲを用いた定量分析法のひとつである内部標準法では、化合物と内標準物質の両方を含有する溶液をＮＭＲで測定し、ＮＭＲスペクトル上の化合物と内標準物質のそれぞれのシグナル面積を比較することで、化合物の定量を可能としている。
【先行技術文献】
【非特許文献】
【００１０】
【非特許文献１】日本工業規格Ｚ７２６０−１０７（２０００）、「分配係数（１−オクタノール／水）の測定−フラスコ振とう法」．
【非特許文献２】ＯＥＣＤ  Ｔｅｓｔ  Ｇｕｉｄｅｌｉｎｅ、（ＯＥＣＤ理事会決定「Ｃ（８１）３０最終別添１」）１０７．
【非特許文献３】平成２１年度成果報告書  基準認証研究開発事業「１対多型校正技術の研究開発」  平成２２年３月経済産業省産業技術環境局知的基盤課  委託先（独）産業技術総合研究所
【発明の概要】
【発明が解決しようとする課題】
【００１１】
従来の分配係数の測定法は、水相中及び有機相中の化合物の定量のために検量線の作成が必要である。しかしながら、検量線の作成には多量の化合物が必要であるため、環境への負荷が大きい。また、作業負荷が大きいことから簡便性、迅速性に欠ける点も課題である。また、ＵＶ検出器を備えたＨＰＬＣ又は紫外可視吸光光度計で測定する場合、紫外吸収が弱い若しくは全くない化合物には使用できない点も課題である。
【課題を解決するための手段】
【００１２】
本発明は、水相中及び有機相中の化合物の定量にＮＭＲを用いることで上記課題を解決した（以下、ＮＭＲ法）。すなわち、本発明は以下の通りである。
【００１３】
第１発明は、ＮＭＲを用いた定量分析工程を含む、分配係数の測定方法に関する。
第２発明は、以下の工程を含む分配係数の測定方法であって、
ｉ）化合物、重水及び重水素化有機溶媒を混合する工程、
ｉｉ）工程ｉの混合物を水相及び有機相に分離する工程、及び
ｉｉｉ）工程ｉｉの水相及び／又は有機相中の化合物の特定基のシグナル面積をNMRを用いて測定する工程、
を含む、第１発明記載の分配係数の測定方法に関する。
第３発明は、工程ｉｉｉが、水相及び有機相中の化合物の特定基のシグナル面積をNMRを用いて測定する工程である、第２発明記載の分配係数の測定方法に関する。
【００１４】
第４発明は、以下の工程を含む分配係数の測定方法であって、
ｉ）化合物、飽和重水及び飽和重水素化有機溶媒を混合する工程、
ｉｉ）工程ｉの混合物を水相及び有機相に分離する工程、
ｉｉｉ）工程ｉｉで得た有機相に内標準物質を溶解させ有機相試料溶液とした後、NMRを用いて有機相試料溶液中の化合物及び内標準物質の特定基のシグナル面積を測定し、当該シグナル面積を用いて有機相中の化合物含量を算出する工程、
ｉｖ）工程ｉｉで得た水相に工程ｉｉｉと同一又は異なる内標準物質を溶解させ水相試料溶液とした後、NMRを用いて水相試料溶液中の化合物及び内標準物質の特定基のシグナル面積を測定し、当該シグナル面積を用いて水相中の化合物含量を算出する工程、及び
ｖ）工程ｉｉｉで算出した有機相中の化合物含量と、工程ｉｖで算出した水相中の化合物含量を用いて化合物の分配係数を算出する工程、
を含む、第３発明記載の分配係数の測定方法に関する。
【００１５】
第５発明は、以下の工程を含む分配係数の測定方法であって、
ｉ）化合物、飽和重水及び飽和重水素化有機溶媒を混合する工程、
ｉｉ）工程ｉの混合物を水相及び有機相に分離する工程、
ｉｉｉ）工程ｉｉで得た水相に重水素化酸、重水素化塩基若しくはシフト試薬を溶解させ水相試料溶液とし、工程ｉｉで得た有機相を有機相試料溶液とするか、或いは工程ｉｉで得た水相を水相試料溶液とし、工程ｉｉで得た有機相にシフト試薬を溶解させ有機相試料溶液とし、当該有機相試料溶液と水相試料溶液のうち一方を二重ＮＭＲ管の外管に採取し、他方を二重ＮＭＲ管の内管に採取した後、NMRを用いて有機相試料溶液及び水相試料溶液中の化合物の特定基のシグナル面積を測定する工程、及び
ｉｖ）工程ｉｉｉで測定した有機相試料溶液及び水相試料溶液中の化合物の特定基のシグナル面積を用いて化合物の分配係数を算出する工程、
を含む、第３発明記載の分配係数の測定方法に関する。
【発明の効果】
【００１６】
本発明によれば、検量線の作成が不要であること等から、従来法と比較して少量の化合物で分配係数を測定することが可能である。また、簡便、迅速に分配係数を測定することが可能である。さらに、本発明によれば、紫外吸収を示さない化合物の分配係数の測定も可能である。
【図面の簡単な説明】
【００１７】
【図１】横軸に化合物の種類、縦軸に化合物の分配係数をとり、従来法とＮＭＲ法で測定した各種化合物の分配係数を示したグラフである。
【図２】横軸に分配係数（従来法）、縦軸に分配係数（ＮＭＲ法）をとり、従来法とＮＭＲ法で測定した分配係数の相関性を示したグラフである。
【発明を実施するための形態】
【００１８】
本明細書中において使用される語句の定義は以下の通りである。
【００１９】
化合物とは、酸性化合物、中性化合物、塩基性化合物、両性化合物等の任意の化合物を表す。なお、本発明においては、コンピューター（Ｐａｌｌａｓ３．０、インフォコム株式会社）を用いて計算し、酸塩基解離定数が６以下の化合物を酸性化合物、７．８以上の化合物を塩基性化合物、両方の性質を持ち合わせるものを両性化合物とし、それ以外を中性化合物と分類した。
【００２０】
重水とは、水分子の二つの水素原子を重水素原子に置き換えた水を表し、Ｄ２Ｏと表すこともある。
【００２１】
重水素化有機溶媒とは、有機溶媒分子に含まれる水素原子の一部または全部を重水素原子に置き換えた有機溶媒を表す。重水素化有機溶媒としては、例えば、シクロヘキサン−ｄ１２、トルエン−ｄ８、ベンゼン−ｄ６、クロロホルム−ｄ、ジクロロメタン−ｄ２又は１−オクタノール−ｄ１８が挙げられる。
【００２２】
内標準物質とは、化合物を定量するために、水相及び／又は有機相に添加する物質である。内標準物質としては、例えば、２，６−ジクロロベンズアルデヒド、２−ヒドロキシ−３，５−ジニトロ−安息香酸、テレフタル酸ジメチルエステル、フタル酸水素カリウム、安息香酸、１，３，５−トリオキサン、テトラメチルピラジン、ジメチルスルホン、酢酸ナトリウム、トリメチルシリルプロパンスルホン酸ナトリウム−ｄ６、トリメチルシリルプロピオン酸ナトリウム−ｄ４又は１，４−ビス（トリメチルシリル）ベンゼン−ｄ４が挙げられる。
【００２３】
シグナル面積は、ピーク面積又は積分値と同義である。
【００２４】
特定基とは、化合物および内標準物質のそれぞれの任意の置換基を表す。
【００２５】
飽和重水素化有機溶媒とは、重水が飽和した重水素化有機溶媒を表す。
【００２６】
飽和重水とは、重水素化有機溶媒が飽和した重水を表す。
【００２７】
重水素化酸とは、酸分子に含まれる水素原子の一部または全部を重水素原子に置き換えた酸を表す。重水素化酸としては、例えば、蟻酸−ｄ２、酢酸−ｄ、酢酸−ｄ４、トリフルオロ酢酸−ｄ、塩酸−ｄ（重塩酸）、硫酸−ｄ２が挙げられる。
【００２８】
重水素化塩基とは、塩基分子に含まれる水素原子の一部または全部を重水素原子に置き換えた塩基を表す。重水素化塩基としては、例えば、水酸化アンモニウム−ｄ５、ピリジン−ｄ５、水酸化ナトリウム−ｄ、水酸化カリウム−ｄが挙げられる。
【００２９】
シフト試薬とは、有機配位子に配位結合した希土（ランタニド）類系列のイオンである。例えば、トリス（２、２、６、６−テトラメチル−３、５−ヘプタンジオナト）ユウロピウム  （Ｅｕ（ｄｐｍ）３）、トリス（６、６、７、７、８、８、８−ヘプタフルオロ−２、２−ジメチル−３、５−オクタンジオナト）ユウロピウム  （Ｅｕ（ｆｏｄ）３）、トリス［Ｎ、Ｎ−ビス（トリメチルシリル）アミド］ユウロピウム、トリス（４、４、４−トリフルオロ−１−（２−チエニル）−１、３−ブタンジオノ）ユウロピウム、トリス（６、６、７、７、８、８、８−ヘプタフルオロ−２、２−ジメチル−３、５−オクタンジオナト）イッテルビウム  （Ｙｂ（ｆｏｄ）３）、トリス（２、２、６、６−テトラメチル−３、５−ヘプタンジオナト）ジスプロシウム（ＩＩＩ）  （Ｄｙ（ｄｐｍ）３）、トリス（２、２、６、６‐テトラメチル‐３、５‐ヘプタンジオナト）ガドリニウム  （Ｇｄ（ｄｐｍ）３）が挙げられる。
【００３０】
二重ＮＭＲ試料管とは、外管（アウターチューブ）と内管（インナーチューブ）を備えたＮＭＲ管を表す。外管と内管の各々に試料溶液を採取することができる。
【００３１】
本発明の好ましい形態は以下の通りである。
【００３２】
化合物は、中性化合物及び両性化合物が、濃度による分配係数への影響が少ないため好ましい。また、より正確な分配係数が得られるため、ＬｏｇＰが−３〜３の範囲の化合物が好ましく、−２．５〜２．５の範囲の化合物が好ましく、−２〜２の範囲の化合物が特に好ましい。
【００３３】
化合物の濃度は、重水素化有機溶媒１ｍLに対し、好ましくは０．００８〜３０  ｍｇであり、更に好ましくは０．０２〜１０  ｍｇであり、特に好ましくは１．８〜１０  ｍｇである。また、重水１ｍLに対し、好ましくは０．００８〜３０ｍｇであり、更に好ましくは０．０２〜１０ｍｇであり、特に好ましくは１．１〜１０ｍｇである。
【００３４】
ＮＭＲは、測定感度の点からプロトンＮＭＲ（１Ｈ−ＮＭＲ）が好ましい。
【００３５】
重水素化有機溶媒は、有機溶媒分子に含まれる水素原子の全部を重水素原子に置き換えた有機溶媒が好ましい。好ましくはシクロヘキサン−ｄ１２、トルエン−ｄ８、ベンゼン−ｄ６、クロロホルム−ｄ、ジクロロメタン−ｄ２又は１−オクタノール−ｄ１８であり、更に好ましくはクロロホルム−ｄ又は１−オクタノール−ｄ１８であり、特に好ましくはクロロホルム−ｄである。
【００３６】
内標準物質は、そのＮＭＲシグナルのうち少なくとも１つのシグナルが、化合物のＮＭＲシグナルと重ならないものであれば、任意に選ぶことができる。有機相に添加する場合、好ましくは２，６−ジクロロベンズアルデヒド又は１，４−ビス（トリメチルシリル）ベンゼン−ｄ４である。水相に添加する場合、好ましくはトリメチルシリルプロピオン酸ナトリウム-ｄ４又はトリメチルシリルプロパンスルホン酸ナトリウム−ｄ６である。
【００３７】
重水素化酸は、好ましくは蟻酸−ｄ２、酢酸−ｄ、酢酸−ｄ４、トリフルオロ酢酸−ｄ、塩酸−ｄ（重塩酸）、硫酸−ｄ２であり、更に好ましくは酢酸−ｄ４、トリフルオロ酢酸−ｄ、塩酸−ｄ（重塩酸）であり、特に好ましくは塩酸−ｄ（重塩酸）である。
【００３８】
重水素化塩基は、好ましくは水酸化アンモニウム−ｄ５、ピリジン−ｄ５、水酸化ナトリウム−ｄ、水酸化カリウム−ｄである。
【００３９】
シフト試薬は、好ましくはトリス（２、２、６、６−テトラメチル−３、５−ヘプタンジオナト）ユウロピウム、トリス（６、６、７、７、８、８、８−ヘプタフルオロ−２、２−ジメチル−３、５−オクタンジオナト）ユウロピウムである。
【００４０】
特定基は任意に選択できるが、精確なシグナル面積を得るため、そのＮＭＲシグナルが他のＮＭＲシグナルと完全に分離している置換基から選ぶことが好ましい。
【００４１】
以下に本発明の一般的な実施形態を説明するが、本実施形態によって本発明の範囲が限定されるものではない。
【００４２】
（工程１）飽和溶媒の作成
適当量の重水素化有機溶媒と重水を激しく振り混ぜた後、室温下、２４時間以上静置する。その後、二つの層を分離し、飽和重水素化有機溶媒と飽和重水を得る。
【００４３】
（工程２）化合物の分配操作
化合物を精秤し、これに工程１で得られた飽和重水素化有機溶媒を一定量正確に加えて化合物を完全に溶解させる。これに工程１で得られた飽和重水を、飽和重水素化有機溶媒と同容量加え、激しく混合後、２５℃で２４時間振とうする。これを遠心分離により二つの層に分離し、有機相と水相を得る。
【００４４】
（工程３）ＮＭＲによる、有機相及び／又は水相中の化合物の定量分析と分配係数の算出
有機相及び水相中の化合物の定量分析は、以下に示す個別定量法又は同時定量法により行うことができる。
【００４５】
１．個別定量法
本方法では、工程２で得られた有機相及び／又は水相に内標準物質を添加し、得られた有機相試料溶液及び水相試料溶液についてＮＭＲを用いて個別に定量分析を行った後、分配係数を算出する。
【００４６】
１）有機相中の化合物の定量分析
内標準物質を精秤し、これに工程２で得られた有機相を一定量正確に加えて内標準物質を完全に溶解させ、これを有機相試料溶液とする。その後、有機相試料溶液をＮＭＲで測定する。この際、公知技術（平成２１年度成果報告書  基準認証研究開発事業「１対多型校正技術の研究開発」  平成２２年３月経済産業省産業技術環境局知的基盤課  委託先（独）産業技術総合研究所）等を参考にして測定条件を選択し、化合物及び内標準物質の特定基のシグナル面積を得る。下記式（３）
【００４７】
【数３】
0005858515.tif 000004
【００４８】
に化合物及び内標準物質の特定基のシグナル面積、特定基のプロトン数、分子量及びＮＭＲ測定に用いた質量並びに内標準物質の純度を代入することにより、有機相中の化合物の含量を算出する。
【００４９】
２）水相中の化合物の定量分析
工程２で得られた水相中の化合物の定量分析は、以下に示す実測法又は差し引き法により行うことができる。適用可能な分配係数の範囲が広いこと及び正確な分配係数を得られることから実測法が好ましい。
＜実測法＞
工程２で得られた水相と、内標準物質を用いて、１）と同様の方法により水相試料溶液を作成後、ＮＭＲで測定し、式（３）に従って水相中の化合物含量を算出する。
＜差し引き法＞
下記式（４）
【００５０】
【数４】
0005858515.tif 000005
【００５１】
により水相中の化合物含量を算出することができる。ここで、分配前の化合物含量とは、工程２の分配前の化合物純度を表す。例えば、工程２と同量の化合物と、一定量の内標準物質を精量し、これに工程２と同量の飽和重水素化有機溶媒を加えて完全に溶解させ試料溶液とした後、１）と同様の方法によりＮＭＲを測定し、式（３）に従って算出する。このようにして得た分配前の化合物含量と、１）で得た有機相中の化合物含量を式（４）に代入し、水相中の化合物含量を算出する。
【００５２】
３）分配係数の算出
化合物含量の比は化合物濃度の比と等しいため、式（２）のＣｏに１）で算出した有機相中の化合物含量を代入し、Ｃｗに２）で算出した水相中の化合物含量を代入することで、化合物の分配係数を算出する。
【００５３】
２．同時定量法
本方法では、工程２で得られた有機相又は水相に、重水素化酸、重水素化塩基若しくはシフト試薬を加え、得られた有機相試料溶液及び水相試料溶液の一方を二重ＮＭＲ試料管の外管に、他方を二重ＮＭＲ試料管の内管に採取し、ＮＭＲを用いて定量分析を行った後、分配係数を算出する。本測定法は内標準物質を必要とせず、また、有機相試料溶液と水相試料溶液を同時に測定できるため、簡便である。
【００５４】
１）補正値の算出
同一の化合物濃度を有する有機相試料溶液と水相試料溶液であっても、一方を二重ＮＭＲ管の外管に、他方を二重ＮＭＲ管の内管に採取し、ＮＭＲ測定した場合、種々の要因により化合物の特定基のシグナル面積に差異が生じる。したがって、当該差異を補正するための補正値を算出する。
化合物を重水素化有機溶媒に溶解し有機相試料溶液とする。また、有機相試料溶液中の化合物濃度と等しくなるように化合物及び重水素化酸、重水素化塩基若しくはシフト試薬を重水に溶解し水相試料溶液とする。或いは化合物及びシフト試薬を重水素化有機溶媒に溶解し有機相試料溶液とする。また、有機相試料溶液中の化合物濃度と等しくなるように化合物を重水に溶解し水相試料溶液とする。
有機相試料溶液を二重ＮＭＲ試料管の外管に、水相試料溶液を二重ＮＭＲ試料管の内管に採取し、ＮＭＲを測定し、水相試料溶液及び有機相試料溶液中の化合物の特定基のシグナル面積を得る。溶媒量、化合物の質量及びシグナル面積を下記式（５）
【００５５】
【数５】
0005858515.tif 000006
【００５６】
に代入し、補正値を算出する。
【００５７】
２）化合物の定量分析
工程２で得られた水相に重水素化酸、重水素化塩基若しくはシフト試薬を加えて水相試料溶液とし、工程２で得られた有機相はそのまま有機相試料溶液とする。或いは工程２で得られた水相はそのまま水相試料溶液とし、工程２で得られた有機相にシフト試薬を加えて有機相試料溶液とする。有機相試料溶液を二重ＮＭＲ試料管の外管に、水相試料溶液を二重ＮＭＲ試料管の内管に入れ、ＮＭＲを測定し、水相試料溶液及び有機相試料溶液中の化合物の特定基のシグナル面積を得る。
【００５８】
３）分配係数の算出
化合物の特定基のシグナル面積は化合物濃度に比例する。したがって、シグナル面積の比は化合物濃度の比と等しい。すなわち、分配係数は下記式（６）
【００５９】
【数６】
0005858515.tif 000007
【００６０】
により算出できる。
ここで、２）において水相に加える重水素化酸、重水素化塩基若しくはシフト試薬が水溶液の場合、水相は当該水溶液により希釈されていることから、水相試料溶液中の化合物の特定基のシグナル面積は、水相中の化合物の特定基のシグナル面積よりも希釈率分だけ小さい値となる。また、１）で述べたように、有機相試料溶液中の化合物の特定基のシグナル面積は補正する必要がある。これらを考慮し、分配係数は下記式（７）
【００６１】
【数７】
0005858515.tif 000008
【００６２】
[式中、Ｐ、Ｉｏ’、Ｉｗ’は前述と同義]
により算出できる。式（７）に１）で得られた補正値、２）で得られた化合物の特定基のシグナル面積、及び希釈率を代入することで、化合物の分配係数を算出する。なお、水相に加える重水素化酸、重水素化塩基若しくはシフト試薬が水溶液ではない場合は、希釈率は考慮しなくてよい。
【００６３】
以下に本発明を実施例及び比較例にて更に詳細に説明するが、これらによって本発明の範囲が限定されるものではない。
【実施例】
【００６４】
＜比較例１＞
従来法による、アンチピリンの分配係数測定
【００６５】
１．検量線の作成
以下、クロロホルム溶液及び水溶液中のアンチピリン濃度に関する検量線を作成した。
１）クロロホルム溶液中のアンチピリン濃度に関する検量線
アンチピリン（シグマ・アルドリッチ製、１０．６７ｍｇ）にクロロホルム（関東化学製、特級）を加えて２５ｍＬとし、原液（４２６．８μｇ／ｍＬ）とした。原液２ｍＬにクロロホルムを加えて２０ｍＬとし、溶液Ａとした（４２．６８μｇ／ｍＬ）。溶液Ａ４ｍＬにクロロホルムを加えて２０ｍＬとし、溶液Ｂとした（８．５３６μｇ／ｍＬ）。溶液Ｂ４ｍＬにクロロホルムを加えて２０ｍＬとし、溶液Ｃとした（１．７０７μｇ／ｍＬ）。溶液Ａ７ｍＬにクロロホルムを加えて１０ｍＬとし、溶液Ｄとした（２９．８８μｇ／ｍＬ）。溶液Ｂ４ｍＬにクロロホルムを加えて１０ｍＬとし、溶液Ｅとした（３．４１４μｇ／ｍＬ）。溶液Ｃ４ｍＬにクロロホルムを加えて１０ｍＬとし、溶液Ｆとした（０．６８２９μｇ／ｍＬ）。
溶液ＡからＦを紫外可視吸光光度計で測定し、約２７８ｎｍにおける吸光度について、ｘ軸を濃度、ｙ軸を吸光度とした回帰式を作成し、相関係数１．０００、切片０．００１５６４、傾き０．０５１７６の下記式（８）
【００６６】
【数８】
0005858515.tif 000009
【００６７】
を得た。
【００６８】
２）水溶液中のアンチピリン濃度に関する検量線
アンチピリン（シグマ・アルドリッチ製、２０．４４ｍｇ）に超純水（ミリＱ水）を加えて５０ｍＬとし、原液（４０８．８μｇ／ｍＬ）とした。原液２ｍＬに超純水を加えて２０ｍＬとし、溶液Ａとした（４０．８８μｇ／ｍＬ）。溶液Ａ４ｍＬに超純水を加えて２０ｍＬとし、溶液Ｂとした（８．１７６μｇ／ｍＬ）。溶液Ｂ４ｍＬに超純水を加えて２０ｍＬとし、溶液Ｃとした（１．６３５μｇ／ｍＬ）。溶液Ａ５ｍＬに超純水を加えて１０ｍＬとし、溶液Ｄとした（２０．４４μｇ／ｍＬ）。溶液Ｂ４ｍＬに超純水を加えて１０ｍＬとし、溶液Ｅとした（３．２７０μｇ／ｍＬ）。溶液Ｃ４ｍＬに超純水を加えて１０ｍＬとし、溶液Ｆとした（０．６５４１μｇ／ｍＬ）。
溶液ＡからＦを紫外可視吸光光度計で測定し、約２４２ｎｍにおける吸光度について、ｘ軸を濃度、ｙ軸を吸光度とした回帰式を作成し、相関係数１．０００、切片０．００１５２１、傾き０．０４８６０の下記式（９）
【００６９】
【数９】
0005858515.tif 000010
【００７０】
を得た。
【００７１】
２．分配係数測定
以下、クロロホルム／水系での分配係数を従来法により測定した。
超純水（ミリＱ水、２００ｍＬ）とクロロホルム（関東化学製、特級、２００ｍＬ）を分液漏斗で振り混ぜた後、２４時間以上放置し、上層と下層を分離した。得られた上層を飽和水、下層を飽和クロロホルムとした。
アンチピリン（シグマ・アルドリッチ製、２０１．２７ｍｇ）に飽和クロロホルムを加えて２０ｍＬとし，アンチピリン溶液とした。アンチピリン溶液１２ｍＬに飽和水１２ｍＬを加えて室温で３０分間激しく振とう後、２５℃で２４時間振とうし、遠心分離（３０００ｒｐｍ、１０分）して上層（水相）と下層（有機相）を完全に分離した。得られた上層（水相）４ｍＬに超純水を加えて２０ｍＬとし、溶液Aとした。溶液A  ４ｍLに超純水を加えて２０ｍLとし、水相試料溶液とした。また、得られた下層（有機相）２ｍＬにクロロホルムを加えて１０ｍＬとし、溶液Bとした。溶液B  ２ｍLにクロロホルムを加えて２０ｍLとし、溶液Cとした。溶液C  ２mＬにクロロホルムを加えて２０mＬとし、有機相試料溶液とした。
有機相試料溶液と水相試料溶液の吸光度を紫外可視吸光光度計で測定した（有機相試料溶液：２７８ｎｍ、水相試料溶液：２４２ｎｍ）。それぞれの試料溶液から得られた吸光度を式（８）及び式（９）に代入し、有機相試料溶液中のアンチピリン濃度（Ｃｏ）と水相試料溶液中のアンチピリン濃度（Ｃｗ）を定量した。得られたＣｏ及びＣｗを式（２）に代入し、ＬｏｇＰ＝１．３５を得た。
【００７２】
＜比較例２〜１０＞
その他９化合物についても比較例１と同様にして分配係数を測定した。
【００７３】
＜実施例１＞
ＮＭＲ法（実測法）による、アンチピリンの分配係数測定
重水（アクロス製、１７ｍＬ）とクロロホルム−ｄ（アクロス製、０．０３ｖ／ｖ％ＴＭＳ含有、１７ｍＬ）を分液漏斗で振り混ぜた後、２４時間以上放置し、上層と下層を分離した。得られた上層を飽和重水、下層を飽和クロロホルム−ｄとした。
アンチピリン（シグマ・アルドリッチ製、２１．７９ｍｇ）に飽和クロロホルム−ｄ２ｍＬを加えて溶解し、さらに飽和重水２ｍＬを加えて３０秒間激しく混合後、２５℃で２４時間振とうし、遠心分離（３０００ｒｐｍ、１０分）して上層（水相）と下層（有機相）を完全に分離した。
得られた下層（有機相）１ｍＬに内標準物質として２，６−ジクロロベンズアルデヒド（アクロス製、１０．８４ｍｇ）を溶解し、有機相試料溶液とした。得られた有機相試料溶液について表１の条件にて１Ｈ−ＮＭＲを測定した結果、アンチピリンの特定基のシグナル面積は３．００、２，６−ジクロロベンズアルデヒドの特定基のシグナル面積は１．１０であった。なお、アンチピリンの特定基は１，２−ジヒドロ−３Ｈ−ピラゾール−３−オンの５位のメチル基、２，６−ジクロロベンズアルデヒドの特定基はホルミル基を選択した。
【００７４】
表１  １Ｈ−ＮＭＲ測定条件及び解析条件
【００７５】
【表１】
0005858515.tif 000011
【００７６】
得られた結果に式（３）を適用して、有機相中のアンチピリン含量（Ｐsample）を算出した。式（３）にＩsample＝３．００、Ｈsample＝３、Ｍsample＝１８８．２３、Ｗsample＝１０．９０、Ｉstd＝１．１０、Ｈstd＝１、Ｍstd＝１７５．０１、Ｗstd＝１０．８４、Ｐstd＝９９を代入し、Ｐsample＝９６．２７（％）を得た。これは有機相中のアンチピリン含量と等しい。
また、得られた上層（水相）１ｍＬに内標準物質としてトリメチルシリルプロピオン酸ナトリウム−ｄ４（ＩＳＯＴＥＣ製、１０．０１ｍｇ）を溶解し、水相試料溶液とした。得られた水相試料溶液について表１の条件にて１Ｈ−ＮＭＲを測定した結果、アンチピリンの特定基のシグナル面積は２．９１、トリメチルシリルプロピオン酸ナトリウム−ｄ４の特定基のシグナル面積は２４０．５２であった。なお、アンチピリンの特定基は１，２−ジヒドロ−３Ｈ−ピラゾール−３−オンの５位のメチル基、トリメチルシリルプロピオン酸ナトリウム−ｄ４の特定基はメチル基を選択した。
得られた結果に式（３）を適用して水相中のアンチピリン含量（Ｐsample）を算出した。式（３）にＩsample＝２．９１、Ｈsample＝３、Ｍsample＝１８８．２３、Ｗsample＝１０．９０、Ｉstd＝２４０．５２、Ｈstd＝９、Ｍstd＝１７２．２４、Ｗstd＝１０．０１、Ｐstd＝９８を代入し、Ｐsample＝３．５７０（％）を得た。これは水相中のアンチピリン含量と等しい。
式（２）に有機相中のアンチピリン含量９６．２７（％）と水相中のアンチピリン含量３．５７０（％）を代入し、ＬｏｇＰ＝１．４３を得た。
【００７７】
＜実施例２〜１０＞
その他の９化合物についても実施例１と同様にして分配係数を測定した。
【００７８】
＜実施例１１＞
ＮＭＲ法（差し引き法）による、レボフロキサシンの分配係数測定
重水（アクロス製、２３ｍＬ）とクロロホルム−ｄ（アクロス製、０．０３ｖ／ｖ％ＴＭＳ含有、３２ｍＬ）を分液漏斗で振り混ぜた後、２４時間以上放置し、上層と下層を分離した。得られた上層を飽和重水、下層を飽和クロロホルム−ｄとした。
レボフロキサシン（東京化成製、２１．４２ｍｇ）に飽和重水２ｍＬを加えて溶解し、さらに飽和クロロホルム−ｄ２ｍＬを加えて３０秒間激しく混合後、２５℃で２４時間振とうし、遠心分離（３０００ｒｐｍ、１０分）して上層（水相）と下層（有機相）を完全に分離した。
得られた下層（有機相）１ｍＬに内標準物質として２，６−ジクロロベンズアルデヒド（アクロス製、１１．６３ｍｇ）を溶解し、有機相試料溶液とした。得られた有機相試料溶液について表１の条件にて１Ｈ−ＮＭＲを測定した結果、レボフロキサシンの特定基のシグナル面積は１．００、２，６−ジクロロベンズアルデヒドの特定基のシグナル面積は２．６４であった。なお、レボフロキサシンの特定基はレボフロキサシン５位のプロトン、２，６−ジクロロベンズアルデヒドの特定基はホルミル基を選択した。
得られた結果に式（３）を適用して、有機相中のレボフロキサシン含量（Ｐsample）を算出した。式（３）にＩsample＝１．００、Ｈsample＝１、Ｍsample＝３６１．３７、Ｗsample＝１０．７１、Ｉstd＝２．６４、Ｈstd＝１、Ｍstd＝１７５．０１、Ｗstd＝１１．６３、Ｐstd＝９９を代入し、Ｐsample＝８４．０８（％）を得た。これは有機相中のレボフロキサシン含量と等しい。
また、水相中のレボフロキサシン含量は、式（４）により算出した。分配前の含量は、レボフロキサシン１０．６９ｍｇ及び２，６−ジクロロベンズアルデヒド１２．３９ｍｇを飽和クロロホルム−ｄ１ｍＬに溶解し、表１の条件で１Ｈ−ＮＭＲを測定及び解析し、式（３）により算出した。１Ｈ−ＮＭＲ測定の結果、レボフロキサシンの特定基のシグナル面積は１．０１、２，６−ジクロロベンズアルデヒドの特定基のシグナル面積は２．５０であった。式（３）にＩsample＝１．０１、Ｈsample＝１、Ｍsample＝３６１．３７、Ｗsample＝１０．６９、Ｉstd＝２．５０、Ｈstd＝１、Ｍstd＝１７５．０１、Ｗstd＝１２．３９、Ｐstd＝９９を代入し、分配前のレボフロキサシン含量を算出したところ、Ｐsample＝９５．７２（％）を得た。式（４）に分配前のレボフロキサシン含量＝９５．７２（％）、有機相中のレボフロキサシン含量＝８４．０８（％）を代入し、算出したところ、水相中のレボフロキサシン含量１１．６４（％）を得た。
式（２）に有機相中のレボフロキサシン含量８４．０８（％）と水相中のレボフロキサシン含量１１．６４（％）を代入し、ＬｏｇＰ＝０．８５９を得た。
【００７９】
＜実施例１２＞
内標準物質を使用しない二重ＮＭＲ試料管による分配係数測定法（同時測定法）
【００８０】
１）補正値の算出
カフェイン（東京化成製、２．２９ｍｇ）に重水６００μＬ及び重塩酸（アクロス製、２０ｗｔ．％重水溶液、１００μＬ）を加えて溶解し、カフェイン重水試料溶液とした。  また、カフェイン１．９２ｍｇをクロロホルム−ｄ７００μＬに溶解し、カフェインクロロホルム−ｄ試料溶液とした。
カフェインクロロホルム−ｄ試料溶液を二重ＮＭＲ試料管（シゲミ製、特殊NMR同軸CELL、５ｍｍ）の外管に、カフェイン重水試料溶液を内管に入れ、表１の条件で１Ｈ−ＮＭＲを測定した。１Ｈ−ＮＭＲ測定の結果、カフェインクロロホルム−ｄ試料溶液の特定基のケミカルシフトは７．５０８ｐｐｍ、シグナル面積は８．３４であり、カフェイン重水試料溶液の特定基のケミカルシフトは８．８０６ｐｐｍ、シグナル面積は９９．６３であった。なお、カフェインの特定基は１，３，７−トリメチル−３，７−ジヒドロ−プリン−２，６−ジオンの８位のプロトンを選択した。
式（５）にＩｗ’＝９９．６３、Ｖｗ＝０．７、Ｗｗ＝２．２９、Ｉｏ’＝８．３４、Ｖｏ＝０．７、Ｗｏ＝１．９２を代入し、補正値＝１０．０１を得た。
【００８１】
２）分配係数の測定
重水１０ｍＬとクロロホルム−ｄ１０ｍＬを分液漏斗で振り混ぜた後、２４時間以上放置し、上層と下層を分離した。得られた上層を飽和重水、下層を飽和クロロホルム−ｄとした。
カフェイン２１．７１ｍｇに飽和クロロホルム−ｄ２ｍＬを加えて溶解し、さらに飽和重水２ｍＬを加えて３０秒間激しく混合後、２５℃で２４時間振とうし、遠心分離（３０００ｒｐｍ、１０分）して上層（水相）と下層（有機相）を完全に分離した。得られた上層（水相）６００μＬに重塩酸１００μＬを加えて水相試料溶液とし、下層（有機相）はそのまま有機相試料溶液とした。有機相試料溶液を二重ＮＭＲ試料管の外管に、水相試料溶液を内管に入れ、表１の条件で１Ｈ−ＮＭＲを測定した。１Ｈ−ＮＭＲ測定の結果、有機相試料溶液中の化合物の特定基のシグナル面積は２９．６８であり、水相試料溶液中の化合物の特定基のシグナル面積は９．４６であった。
式（７）にＩｏ’＝２９．６８、Iｗ’＝９．４６、補正値＝１０．０１、希釈率＝６００／７００を代入し、LogP＝１．４３を得た。
【００８２】
従来法（比較例１〜１０）及びＮＭＲ法（実施例１〜１２）の結果を表２及び図１に示す。また、従来法とＮＭＲ法のそれぞれで求めた分配係数の相関を図２に示す。
【００８３】
表２  分配係数測定結果
【００８４】
【表２】
0005858515.tif 000012
【００８５】
ＮＭＲ法と従来法の分配係数の間には良好な相関が認められた。したがって、ＮＭＲ法は、分配係数の測定法として信頼に足りる方法といえる。また、NMR法は酸性化合物、中性化合物、塩基性化合物、両性化合物のいずれの化合物にも使用可能であり、さらに、測定可能な分配係数の範囲も広い。なお、ＮＭＲ測定においてＳ／Ｎ比が大きい化合物ほどＮＭＲ法と従来法の分配係数が近くなることが判明した。したがって、有機相又は水相中の化合物濃度が低いためＳ／Ｎ比が小さい化合物については、積算回数を増やすことにより正確な分配係数が得られる。
【００８６】
＜比較例１３＞
表３に、ＮＭＲ法と従来法における所要時間を示す。表中、アンチピリンの従来法は紫外可視吸光光度計、リドカインの従来法はＨＰＬＣを用いた測定である。また、分配係数測定に要した時間は、使用前に溶媒を飽和させる操作は含まない。
【００８７】
表３  従来法及びＮＭＲ法の所要時間
【００８８】
【表３】
0005858515.tif 000013
【００８９】
ＮＭＲ法は従来法と比較して、短時間で分配係数を測定することが可能であり、また、溶媒および化合物の使用量も少ない。
【産業上の利用可能性】
【００９０】
本発明により、簡便に分配係数を測定することが可能となった。本発明によれば、測定に使用する化合物は少量で良く、また、迅速に測定することが可能である。また、本発明は、紫外吸収を示さない化合物にも使用可能であるため、適用範囲が広い。
【図１】
0005858515.tif 000014
【図２】
0005858515.tif 000015